(57)【要約】【課題】  余白無し記録におけるインクの浪費を大幅に軽減することができると共に、インクミストの発生を軽減することが可能なインクジェット記録装置などの提供を目的とする。【解決手段】  記録ヘッドに伴って主走査方向に延出する所定の検出経路を移動する媒体位置検出手段４０１と、記録ヘッドの移動経路上に存在する記録媒体の主走査方向における存在領域を判別する判別手段２０１と、判別手段２０１によって判別された記録媒体の存在領域に応じて記録ヘッドのインク吐出動作を制御する吐出制御手段２０１〜２０７を備える。ここで、前記吐出制御手段２０１は、前記存在領域を包含する所定のインク吐出領域外の領域に対し記録データの有無に拘わらずインク吐出動作を禁止する。【選択図】  図６
2005081687.tif 000002
【特許請求の範囲】
【請求項１】
記録データに基づいて記録ヘッドからインクを吐出し記録媒体に記録を行うインクジェット記録装置であって、
前記記録媒体が搬送される搬送経路上において前記記録媒体が存在する領域を検出する検出手段と、
前記検出手段により検出された前記記録媒体の存在領域に対してのみ前記記録ヘッドによるインク吐出を許容し、前記存在領域以外の領域に対しては前記記録データの有無に関係なく前記記録ヘッドによるインク吐出を禁止する吐出制御手段と、
を有することを特徴とするインクジェット記録装置。
【請求項２】
記録データに応じてインクを吐出すると共に主走査方向に延出する所定の移動経路に沿って往復移動可能な記録ヘッドと、前記記録ヘッドの移動経路と交差する副走査方向に沿って記録媒体を搬送する記録媒体搬送手段と、を備えたインクジェット記録装置において、
前記主走査方向に沿って設定された検出経路上を前記記録ヘッドと共に移動し、前記検出経路上における前記記録媒体の両端部の位置を検出し、当該検出した両端部の位置に基づいて前記移動経路上へ移動する記録媒体の前記主走査方向における存在領域を検出する媒体位置検出手段と、
前記媒体位置検出手段によって検出された前記記録媒体の存在領域に応じて前記記録ヘッドによるインク吐出を制御する吐出制御手段と、を備え  前記吐出制御手段は、前記存在領域に対し前記記録ヘッドによるインク吐出を許容し、前記存在領域以外の領域に対し前記記録ヘッドによるインク吐出を禁止することを特徴とするインクジェット記録装置。
【請求項３】
前記吐出制御手段は、前記主走査方向における前記記録媒体の存在領域に対し前記記録データに応じて前記記録ヘッドによるインク吐出を許容する一方、前記存在領域以外の領域に対して前記記録データの有無に拘わらず前記記録ヘッドによるインク吐出を禁止することを特徴とするインクジェット記録装置。
【請求項４】
前記吐出制御手段は、前記媒体位置検出手段によって検出された前記検出経路上の記録媒体の一端から他端に至る検出領域自体を前記存在領域として設定することを特徴とする請求項２または３に記載のインクジェット記録装置。
【請求項５】
前記吐出制御手段は、前記媒体位置検出手段によって検出された前記検出経路上の記録媒体の一端から他端に至る検出領域の両端から外方にそれぞれ所定の規定値を加えた領域を前記存在領域として設定することを特徴とする請求項２または３に記載のインクジェット記録装置。
【請求項６】
前記吐出制御手段は、前記媒体位置検出手段によって検出された前記検出経路上の記録媒体の一端から他端に至る検出領域に、前記検出経路と前記ヘッド移動経路との間の副走査方向における間隔に基づき補正を加えた補正領域を、前記存在領域として設定することを特徴とする請求項２または３に記載のインクジェット記録装置。
【請求項７】
前記吐出制御手段は、前記媒体位置検出手段によって検出された前記検出経路上の記録媒体の一端から他端に至る検出領域に、前記検出経路と前記ヘッド移動経路との間の副走査方向における間隔に基づき補正を加えた補正領域の外方にそれぞれ所定の規定値を加えた領域を、前記存在領域として設定することを特徴とする請求項２または３に記載のインクジェット記録装置。
【請求項８】
前記判別手段は、前記媒体位置検出手段によって検出された前記検出経路上の記録媒体の一端から他端に至る検出領域に、矩形の記録媒体の側辺と前記副走査方向との傾き、検出経路と前記ヘッド移動経路との間の副走査方向における間隔、および記録媒体の副走査方向における搬送量に基づき、補正を加えた補正領域を、前記存在領域として設定することを特徴とする請求項１または２に記載のインクジェット記録装置。
【請求項９】
前記媒体位置検出手段は、前記記録ヘッドと共に移動する所定の分解能を有する光センサによって構成され、
前記吐出制御手段は、前記所定の規定値として前記記録媒体の分解能に相当する値を加えることを特徴とする請求項５または７に記載のインクジェット記録装置。
【請求項１０】
前記媒体位置検出手段は、記録ヘッドの各走査毎に前記記録ヘッドの移動経路上の主走査方向における記録媒体の両端部の位置を検出することを特徴とする請求項１ないし９のいずれかに記載のインクジェット記録装置。
【請求項１１】
前記媒体位置検出手段は、記録ヘッドが複数回の走査される毎に、前記記録ヘッドの移動経路上の主走査方向における記録媒体の両端部の位置を検出することを特徴とする請求項１ないし９のいずれかに記載のインクジェット記録装置。
【請求項１２】
記録データに応じてインクを吐出すると共に主走査方向に延出する所定の移動経路に沿って往復移動可能な記録ヘッド、および前記記録ヘッド２１の移動経路と交差する副走査方向に沿って記録媒体を搬送する記録媒体搬送手段を備えたインクジェット記録装置と、前記インクジェット記録装置に対して供給すべき前記記録データを生成する情報処理装置とを互いに通信可能に接続してなるインクジェット記録システムにおいて、
前記インクジェット記録装置は、請求項２ないし１１のいずれかに記載のインクジェット記録装置と、前記媒体位置検出手段によって検出された前記記録媒体の両端部の位置を表すデータを送信する位置データ送信手段とを備え、
前記情報処理装置は、前記媒体位置検出手段によって検出された記録媒体の両端部の位置に基づき、前記移動経路上に搬送される前記記録媒体の主走査方向における存在領域に対応したデータ作成領域を設定するデータ作成領域設定手段と、
情報処理装置内に保持されている画像データのうち、前記データ作成領域設定手段によって設定されたデータ作成領域に対応する画像データに対してのみ所定の画像処理を施して前記インクジェット記録装置に適合する記録データを作成する画像処理手段と、
前記画像処理手段にて作成された記録データを前記インクジェット記録装置に送信する記録データ送信手段と、を備えたことを特徴とするインクジェット記録システム。
【請求項１３】
前記データ作成領域設定手段は、前記インクジェット記録装置の前記媒体位置検出手段によって検出された前記検出経路上の記録媒体の一端から他端に至る検出領域に対応する領域自体を前記存在領域として設定し、その存在領域をデータ作成領域として設定することを特徴とする請求項１２に記載のインクジェット記録システム。
【請求項１４】
前記データ作成領域設定手段は、前記媒体位置検出手段によって検出された前記検出経路上の記録媒体の一端から他端に至る検出領域の両端から外方に向けてそれぞれ所定の規定値を加えた領域を前記存在領域として設定し、その存在領域をデータ作成領域として設定することを特徴とする請求項１２に記載のインクジェット記録システム。
【請求項１５】
記録データに基づいて記録ヘッドからインクを吐出し記録媒体に記録を行うインクジェット記録方法であって、
前記記録媒体が搬送される搬送経路上において前記記録媒体が存在する領域を検出する工程と、
前記検出工程において検出された前記記録媒体の存在領域に対してのみ前記記録ヘッドによるインク吐出を許容し、前記存在領域以外の領域に対しては前記記録データの有無に関係なく前記記録ヘッドによるインク吐出を禁止する工程と、
を有することを特徴とするインクジェット記録方法。
【請求項１６】
記録データに応じてインクを吐出すると共に主走査方向に延出する所定の移動経路に沿って往復移動可能な記録ヘッドを用いて記録媒体に記録を行うインクジェット記録方法であって、
前記主走査方向に沿って設定された検出経路上を前記記録ヘッドと共に移動しながら、前記検出経路上における前記記録媒体の両端部の位置を検出し、当該検出した両端部の位置に基づいて前記移動経路上へ移動する記録媒体の前記主走査方向における存在領域を検出する工程と、
前記検定工程において検出された前記存在領域に対し前記記録ヘッドによるインク吐出を許容し、前記所定の領域以外の領域に対し前記記録ヘッドによるインク吐出を禁止する吐出制御工程と、
を有することを特徴とするインクジェット記録方法。
【請求項１７】
前記吐出制御工程では、前記主走査方向における前記記録媒体の存在領域に対し前記記録データに応じて前記記録ヘッドによるインク吐出を許容する一方、前記存在領域以外の領域に対して前記記録データの有無に拘わらず前記記録ヘッドによるインク吐出を禁止することを特徴とするインクジェット記録方法。
【発明の詳細な説明】
【技術分野】
【０００１】
本発明は、インクジェット記録装置、特に記録媒体の端部に余白を形成せずに記録動作を行うことを可能とするインクジェット記録装置等に関する。
【背景技術】
【０００２】
近年のインクジェット記録装置の進歩は目覚しく、記録画質、記録スピードは共に格段の進歩を遂げている。このため、製品開発においては、記録画質および記録スピードなどの基本性能の向上に加え、記録を行う上での付加機能やユーザーの使い勝手向上などにも注力されている。例えば、記録媒体の周縁に余白を形成せず、記録媒体全面に画像を形成するようにした、いわゆる余白無し記録（縁無し記録と称することもある）を実行する機能を備えたものが提案、実施されている（例えば、特許文献１、特許文献２等参照）。
【０００３】
（余白無し記録）
ここで、余白無し記録の一般的な実現方法を図を参照しつつ説明する。  
図１は余白無し記録を実施可能とするプラテン１０の構成例を示す図である。  
図１において、キャリッジと共に移動する記録ヘッド２１に対向して略水平に設けられたプラテン１０には、リブ１１，１２が上方へ向けて突出形成されている。このため、記録媒体Ｐは各リブ１１，１２の上面によって支持されつつ、搬送ローラによって図中Ｙ方向（副走査方向）へと搬送される。また、リブ１１とリブ１２との間には、記録媒体Ｐの端部に対する記録（余白無し記録）時において記録媒体の端部より外側にはみ出した位置に吐出されるインク（廃インク）を受けるための溝１４（インク受け部ともいう）が形成され、その溝１４には、インクを吸収するインク吸収体（プラテン吸収体とも言う）１３が保持されている。
【０００４】
そして、上記のようなプラテン１０及びその周辺構造を有するこの実施形態においては、図２に示すような手順で記録媒体Ｐに対して余白無し記録が実行される。
【０００５】
すなわち、この実施形態におけるインクジェット記録装置は、前述の基本構成にも示したように、記録ヘッド２１による主走査方向（Ｘ方向）への記録動作に同期して、記録媒体の副走査方向への搬送動作を間欠的に行うものとなっており、記録動作開始当初は、給送機構によってプラテン１０の上面へと記録媒体Ｐが給送される。この際、給送された記録媒体Ｐの先端Ｐａは、プラテン１０上面に形成されたリブ１１とリブ１２との間に形成される溝１４の上で停止する（図２（ａ）参照）。
【０００６】
次いで、記録ヘッド２１を搭載したキャリッジを主走査方向Ｘに沿って走査させ、記録ヘッド２１から記録媒体Ｐへとインク滴を吐出させ、記録媒体Ｐの先端部Ｐａに対して記録を行う（図２（ｂ）参照）。このとき使用する記録データは、記録媒体Ｐより大きなサイズのデータとなっている。このため、記録媒体Ｐの先端Ｐａを超えた位置まで記録データによるインクの吐出が行われ、画像は記録媒体Ｐの先端Ｐａまで確実に形成される。但し、記録媒体Ｐの先端Ｐａから外れた位置に対してもインクの吐出が行われ、記録媒体Ｐが存在しない位置へと吐出されたインク（廃インク）は、前述のリブ１１と１２の間に設けられたインク吸収体１３（プラテン吸収体）に着弾し、ここで吸収・保持される。
【０００７】
また、記録媒体の左右の端部に対しても、先端部に対する記録動作と同様に、記録媒体より大きなサイズの記録データが供給されるため、その記録データによって記録媒体Ｐの左右両端部にも確実にインクが吐出されると共に、記録媒体Ｐの左右両端部から側方へと外れた位置へもインクの吐出が行われる。この記録媒体Ｐの側方へと外れた位置に吐出されたインク（廃インク）は、プラテン１０に設けられたインク吸収体（プラテン吸収体）１３によって吸収・保持される。
【０００８】
一行分の記録動作が終了すると、次の記録動作からは搬送機構に設けられたＬＦローラの回転によって記録媒体Ｐが副走査方向Ｙへと搬送され、再び一行分の記録が行われる。その後、この記録動作と搬送動作は繰り返し実行され、記録媒体Ｐの後端部Ｐａがプラテン１０Ｐの溝１４上に達すると、ここで記録媒体Ｐの搬送は停止され、記録媒体１の後端部に対する記録動作が実行される。この後端部に対する記録動作においても、記録媒体Ｐより大きなサイズの記録データが供給されるため、その記録データによって後端部Ｐｂには確実にインクが吐出されると共に、記録媒体Ｐの後端Ｐｂから側方へと外れた位置にもインクの吐出が行われる。この記録媒体Ｐの後端Ｐｂから外れた位置に吐出されたインクは、プラテン１０Ｐに設けられたインク吸収体１３（プラテン吸収体）によって吸収・保持される（図２（ｃ）参照）。
【０００９】
ところで、記録媒体より大きなサイズの記録データで記録を実施するのは次の理由による。すなわち、記録装置では、搬送ローラによる搬送動作時において、記録媒体が傾いた状態で搬送ローラへと供給される可能性もあり、その場合には、記録媒体が傾いた状態のまま副走査方向へと搬送される、いわゆる斜行が生じることがある。こうした記録媒体の斜行が発生した場合、あるいは記録媒体のサイズにバラツキがあった場合には、記録装置内における記録媒体の正確な位置を把握できない。このため、記録媒体とほぼ同サイズの記録データによる記録では、記録媒体が正確な位置からずれている場合に、記録媒体端部に記録されない余白部分が生じる可能性がある。
【００１０】
そこで、記録媒体の端部に余白を生じさせないために、その記録装置で想定される最大の斜行量と想定される最大のサイズバラツキとに対応した大きさの記録データを作成し、その記録データに対応する領域、すなわち記録媒体Ｐに対応する領域だけでなく、その外側に位置する領域へもインクを吐出して余白部分が発生しないようにしているのが現状である。  
【００１１】
【特許文献１】特開２００１−３０１２０１号公報
【特許文献２】特開２００２−８６７６０号公報
【発明の開示】
【発明が解決しようとする課題】
【００１２】
しかし、従来のインクジェット記録装置にあっては、確実に余白無し記録を実現するために、記録媒体より大きな領域へとインク滴を吐出しているため、画像形成に寄与しない多数のインク滴がプラテン吸収体に着弾・吸収されることとなり、画像形成面積に対するインクの消費量が多くなり、ランニングコストが増大するという課題がある。また、プラテン吸収体に吸収されるインク量が多いことから、プラテン吸収体が短期間でインク吸収限度に達し、これに伴ってプラテン吸収体の交換頻度が高くなってしまうという課題もある。
【００１３】
さらに、余白無し記録を行うインクジェット記録装置では、図１に示すように、記録媒体がリブ１２によってプラテン吸収体１３より上方に支持されるようになっているため、記録ヘッド２１からプラテン吸収体１３に至る距離間隔は、記録媒体から記録ヘッド２１に至る距離間隔よりも大きい。従って、記録媒体から外れた位置にインク滴を吐出した場合、そのインク滴はプラテン吸収体１３までの大きな距離間隔を飛翔することとなり、インク滴の一部がミスト化し易い。このため、記録媒体から外れた位置に吐出されるインク滴の増大は、インクミストの増大を招き、インクジェット記録装置内がインクによって汚損されたり、画像が損なわれたりするという不都合も発生している。
【００１４】
本発明は、上記課題を顧みてなされたものであり、余白無し記録におけるインクの浪費を大幅に軽減することができると共に、インクミストの発生を軽減することが可能なインクジェット記録装置、インクジェット記録方法、およびインクジェット記録システムの提供を目的とする。
【課題を解決するための手段】
【００１５】
上記各従来技術の課題を解決するため、本発明は以下の構成を有する。  
すなわち、本発明は、記録データに基づいて記録ヘッドからインクを吐出し記録媒体に記録を行うインクジェット記録装置であって、前記記録媒体が搬送される搬送経路上において前記記録媒体が存在する領域を検出する検出手段と、前記検出手段により検出された前記記録媒体の存在領域に対してのみ前記記録ヘッドによるインク吐出を許容し、前記存在領域以外の領域に対しては前記記録データの有無に関係なく前記記録ヘッドによるインク吐出を禁止する吐出制御手段と、を有することを特徴とする。
【００１６】
また、別の本発明は、記録データに応じてインクを吐出すると共に主走査方向に延出する所定の移動経路に沿って往復移動可能な記録ヘッドと、前記記録ヘッドの移動経路と交差する副走査方向に沿って記録媒体を搬送する記録媒体搬送手段と、を備えたインクジェット記録装置において、前記主走査方向に沿って設定された検出経路上を前記記録ヘッドと共に移動し、前記検出経路上における前記記録媒体の両端部の位置を検出し、当該検出した両端部の位置に基づいて前記移動経路上へ移動する記録媒体の前記主走査方向における存在領域を検出する媒体位置検出手段と、前記媒体位置検出手段によって検出された前記記録媒体の存在領域に応じて前記記録ヘッドによるインク吐出を制御する吐出制御手段と、を備え、前記吐出制御手段は、前記存在領域に対し前記記録ヘッドによるインク吐出を許容し、前記存在領域以外の領域に対し前記記録ヘッドによるインク吐出を禁止することを特徴とする。
【００１７】
また、別の本発明は、記録データに応じてインクを吐出すると共に主走査方向に延出する所定の移動経路に沿って往復移動可能な記録ヘッド、および前記記録ヘッド２１の移動経路と交差する副走査方向に沿って記録媒体を搬送する記録媒体搬送手段を備えたインクジェット記録装置と、前記インクジェット記録装置に対して供給すべき前記記録データを生成する情報処理装置とを互いに通信可能に接続してなるインクジェット記録システムにおいて、前記インクジェット記録装置は、請求項２ないし１１のいずれかに記載のインクジェット記録装置と、前記媒体位置検出手段によって検出された前記記録媒体の両端部の位置を表すデータを送信する位置データ送信手段とを備え、前記情報処理装置は、前記媒体位置検出手段によって検出された記録媒体の両端部の位置に基づき、前記移動経路上に搬送される前記記録媒体の主走査方向における存在領域に対応したデータ作成領域を設定するデータ作成領域設定手段と、情報処理装置内に保持されている画像データのうち、前記データ作成領域設定手段によって設定されたデータ作成領域に対応する画像データに対してのみ所定の画像処理を施して前記インクジェット記録装置に適合する記録データを作成する画像処理手段と、前記画像処理手段にて作成された記録データを前記インクジェット記録装置に送信する記録データ送信手段と、を備えたことを特徴とする。
【００１８】
また、別の本発明は、記録データに基づいて記録ヘッドからインクを吐出し記録媒体に記録を行うインクジェット記録方法であって、前記記録媒体が搬送される搬送経路上において前記記録媒体が存在する領域を検出する工程と、前記検出工程において検出された前記記録媒体の存在領域に対してのみ前記記録ヘッドによるインク吐出を許容し、前記存在領域以外の領域に対しては前記記録データの有無に関係なく前記記録ヘッドによるインク吐出を禁止する工程と、を有することを特徴とする。
【００１９】
また、別の本発明は、記録データに応じてインクを吐出すると共に主走査方向に延出する所定の移動経路に沿って往復移動可能な記録ヘッドを用いて記録媒体に記録を行うインクジェット記録方法であって、前記主走査方向に沿って設定された検出経路上を前記記録ヘッドと共に移動しながら、前記検出経路上における前記記録媒体の両端部の位置を検出し、当該検出した両端部の位置に基づいて前記移動経路上へ移動する記録媒体の前記主走査方向における存在領域を検出する工程と、前記検定工程において検出された前記存在領域に対し前記記録ヘッドによるインク吐出を許容し、前記所定の領域以外の領域に対し前記記録ヘッドによるインク吐出を禁止する吐出制御工程と、を有することを特徴とする。
【発明の効果】
【００２０】
本願発明によれば、余白なし記録において、インクの浪費を大幅に抑えることができると共に、インクミストの発生も軽減することが可能となる。
【発明を実施するための最良の形態】
【００２１】
以下、本発明の添付図面を参照して本発明の好適な実施の形態を詳細に説明する。  
（全体構成）
図３は、本発明の実施形態におけるインクジェット記録システムの全体構成を概念的に示すブロック図である。ここに示すインクジェット記録システムは、記録動作を実行するインクジェット記録装置２００と、情報処理装置（ホストコンピュータ）１００とを備える。このインクジェット記録装置２００と情報処理装置１００は、ＵＳＢ、赤外線等の周知の通信手段で接続され、相互に通信可能となっている。ここで、情報処理装置１００では、ユーザー操作などによって撮像装置（例えば、デジタルカメラ）などの所定の画像データ入力装置から入力された画像データを、インクジェット記録装置の記録動作に適合する記録データに変換した後、インクジェット記録装置の制御部に転送するようになっており、その記録データを受けたインクジェット記録装置２００では、記録動作を実行する。一方、インクジェット記録装置からは、後述する記録媒体のサイズなどの記録動作に関連する情報をインクジェット記録装置へと転送することが可能となっている。
【００２２】
（記録装置構成）
次に、本発明におけるインクジェット記録システムにおけるインクジェット記録装置の構成を説明する。  
図４は、本発明を適用可能なインクジェット記録装置の外観を示す斜視図であり、図ではそのフロントカバーを取り外して装置内部を露出させた状態を示している。
【００２３】
図４において、１０００は交換式のヘッドカートリッジであり、ここには、インクを吐出する記録ヘッドおよびこの記録ヘッドにインクを供給するインクタンクなどが収納されている。２はそのインクジェットカートリッジを着脱自在に保持するキャリッジである。３はインクジェットカートリッジ１０００をキャリッジ２に固定するためのホルダであり、インクジェットカートリッジ１０００をキャリッジ２内に装着してからカートリッジ固定レバー４を操作すると、これに連動してインクジェットカートリッジ１０００がキャリッジ２に圧接する。この圧接によってインクジェットカートリッジ１０００の位置決めが行われると同時に、キャリッジ２に設けられた所定の信号伝達用の電気接点とインクジェットカートリッジ１側の電気接点とのコンタクトが行われる。５は電気信号をキャリッジ２に伝えるためのフレキシブルケーブルである。
【００２４】
６はキャリッジ２を主走査方向（Ｘ方向）に往復移動させるための駆動源をなすキャリッジモータ、７はキャリッジモータ６の駆動力をキャリッジ２に伝達するキャリッジベルトである。８は主走査方向に延在してキャリッジ２を支持すると共にその移動を案内するガイドシャフトである。９ａはキャリッジ２に取り付けられた透過型のフォトカプラ、９ｂはキャリッジホームポジション付近に設けられた遮光板であり、キャリッジ２がホームポジションに至ったときに遮光板９ｂがフォトカプラ９ａの光軸を遮ることにより、キャリッジ２のホームポジションの検出を行うことができる。１２はインクジェットヘッドの前面をキャップするキャップ部材やこのキャップ内を吸引する吸引手段、さらにはヘッド前面のワイピングを行う部材などの回復系を含むホームポジションユニットである。
【００２５】
１３は記録媒体を排出するための排出ローラであり、不図示の拍車状ローラと協働して記録媒体を挟持し、これをインクジェット記録装置外へと排出する。この他、記録装置には、記録媒体を主走査方向（Ｘ方向）と直交する副走査方向（Ｙ方向）に沿って所定の搬送ピッチで間欠的に搬送を行う記録媒体搬送手段としてのラインフィードユニット（不図示）が設けられている。更に、記録媒体の搬送経路上には不図示のペーパーエンドセンサ（ＰＥセンサ）が設けられ、これによって記録媒体の後端が近づいたことを検出することが可能になっている。
【００２６】
一方、前記キャリッジ２には、発光素子と、この発光素子からの光量を検知する受光素子とを含む光センサ（媒体位置検出手段）４０１が設けられており、この光センサ４０１によって、記録媒体が光センサ４０１の直下に存在するか否かを検出し得るようになっている。すなわち、キャリッジ２と共に移動する記録ヘッド２１の移動経路の下方には、インクジェット記録装置の動作状態により、プラテン１０と記録媒体のいずれか一方が存在し、プラテン１０と記録媒体とでは光の反射率が異なるため、発光素子から放たれた光の反射光量を受光素子で計測することにより、光センサ直下に記録媒体が存在しているかどうかを判別することができる。
【００２７】
さらに、この光センサ４０１を作動させつつキャリッジを主走査方向（Ｘ方向）に移動させながら上記の記録媒体有無の判別を実行することにより、記録媒体の移動経路上における位置を検出することができる。つまり、ホームポジションを原点とする主走査方向の１次元の座標系を考え、キャリッジ２の動作中もキャリッジ２の座標系における位置を常に把握しておけば、記録媒体の存在が検出された時のキャリッジ２の座標位置に基づき、移動経路上における記録媒体の両端部の座標位置を計測することができる。なお、光センサ４０１がキャリッジ２と共に移動する経路（検出経路）は、プラテン１０上に存在するが、プラテン１０は副走査方向（Ｙ方向）において所定の幅を有しているため、この幅の領域内で適宜設定される。例えば、図８に示すように、光センサ４０１の検出経路Ｒ１を記録ヘッド２１の移動経路Ｒ内に設定したり、あるいはまた、図１０に示すように、光センサー４０１の検出経路Ｒ２が記録ヘッド２１の移動経路Ｒから逸脱するよう位置に設定したりすることが可能である。なお、この光センサ４０１の配置については、後に詳述する。
【００２８】
また、本実施形態では、キャリッジ２の主走査方向の動作中に、300dpiの分解能を有する光センサを用いて上記の記録媒体有無を検出する構成になっているが、適用し得る光センサーとしては、300dpiの分解能を有するものに限らず、必要に応じて、これより高い分解能あるいは低い分解能を有する光センサを適用することも可能である。
【００２９】
（ヘッド構成）
図５は本実施形態で用いたヘッドカートリッジ１０００の詳細な構成を示す斜視図である。図５において、１５はＢｋ（ブラック）インクを貯溜する交換可能なインクタンク、１６はＣ（シアン）、Ｍ（マゼンタ）、Ｙ（イエロ）の各色剤のインクを貯溜する交換可能なインクタンクである。１７はインクタンク１６のインク供給口であり、インクカートリッジ１に連結可能となっている。１８は同様にインクカートリッジ１に連結可能なインクタンク１５のインク供給口である。なお、各インク供給口１７、１８は、供給管２０に連結されて記録ヘッド２１にインクを供給するよう構成されている。１９は前述のフレキシブルケーブル５に接続され電気コンタクトであり、記録データなどの電気信号を記録ヘッド２１へと伝送するよう構成されている。
【００３０】
また、図５において、記録ヘッド２１の前面に図示されている４本の線は、インクを吐出するインク吐出ノズルの４本のノズル列を表しており、各ノズル列からは、Ｂｋ（ブラック）インク、Ｃ（シアン）インク、Ｍ（マゼンタ）インク、Ｙ（イエロ）などのインクが吐出される。
【００３１】
記録ヘッド２１の各ノズル内には、後述の駆動回路から供給される電気エネルギーに従ってインクを吐出させるための吐出エネルギー発生素子が設けられている。この実施形態においては、吐出エネルギー発生素子として、電気熱変換素子（ヒータ）が設けられており、この電気熱変換素子からの熱エネルギーによって各ノズル内のインクに気泡を発生させ、その気泡の発生圧力によってインクを吐出させるように構成されている。
【００３２】
（インクジェット記録装置の駆動回路）
次に、インクジェット記録装置の記録ヘッド２１の駆動を制御する駆動制御部を図６に基づき説明する。
【００３３】
図６において、駆動制御部２０１は、インクジェット記録装置２００の各部の制御を行うＣＰＵ２０１、記録データ等を格納するＲＡＭ２０２、シフトレジスタ２０４、ラッチ２０５、ゲート回路２０６および駆動回路２０７などを備えている。ＲＡＭ２０２は、伝送路３００およびインターフェース２０８などの通信手段（記録データ送信手段）を介して、情報処理装置１００から伝送されてくる記録データを一旦格納する。シフトレジスタ２０４は、このＲＡＭ２０２に格納されている記録データを、クロック発生器２０３からの転送クロックに同期して順次シリアルに転送してゆき、１ライン分の画像データを保持する。ラッチ回路２０５は、シフトレジスタ２０４からパラレルに出力された１ライン分の記録データをラッチした後、ＣＰＵ２０１から出力されるイネーブル（enable）信号に応じて、ラッチした１ライン分の記録データをゲート回路２０６へとパラレルに出力する。ゲート回路２０６は記録ヘッド２１に設けられた各ノズル列の個々のノズルに対応して設けられた複数のアンドゲートＧによって構成されている。各アンドゲートＧには、ラッチ回路２０５から同時に出力された１ビットの記録データと、ＣＰＵ２０１から出力される１ビットのゲート制御信号とが入力される。各アンドゲートＧは、入力される記録データとゲート制御信号との論理積をとり、ロウ「Ｌ」またはハイ「Ｈ」の信号を駆動回路２０７に出力する。駆動回路２０７は、記録ヘッドの各ノズル内に設けられた各ヒータｈと各ゲート回路Ｇとに対応して設けられたランジスタＴｒからなり、各トランジスタＴｒは、各アンドゲートＧから出力された信号によってそれぞれ導通、遮断されるようになっている。各ヒータｈは、対応するトランジスタＴｒが導通することによりジュール熱を発し、その熱によってインクに気泡を発生させインク滴をノズルから吐出させる。
【００３４】
（記録動作）
次に、上記構成を用いて実行される、本発明の第１の実施形態における記録動作を図７のフローチャートに従って説明する。
【００３５】
情報処理装置１００において、ユーザーが記録動作を選択すると、情報処理装置１００からインクジェット記録装置２００へと記録開始信号が送信される（ステップＳ７０１）。インクジェット記録装置２００が記録開始信号を受信すると、図外の給紙機構がインクジェット記録装置２００のラインフィードユニット１４へと記録媒体を給送する。この後、情報処理装置１００から記録データを受信するまでラインフィードユニット１４による搬送動作を開始せず、記録媒体を給紙位置にて待機させる（ステップＳ７０２、Ｓ７０３）。
【００３６】
ここで、次の動作説明に先立ち、この第１の実施形態におけるキャリッジに設けられた光センサ（媒体位置検出手段）４０１と記録ヘッド２１のノズル列との位置関係を図８の説明平面図に従って説明する。この実施形態におけるインクジェット記録装置１００では、プラテン１０と平行する平面上に、記録媒体Ｐの搬送方向である副走査方向（Ｙ方向）と平行する１次元の座標系Ｋ１を設定しており、各ノズル列のＹ方向における中心を原点０、ノズル列の端部の座標をDnzl、光センサ４０１の設置位置の座標をDsenとしている。図示のように、ノズル列の端部の座標Dnzlと光センサ４０１の設置位置の座標Dsenとの関係は、Dsen＜Dnzlとなっている。すなわち、光センサ４０１の設置位置は、ノズル列の端部より記録媒体搬送方向Ｙにおいて下流側に位置しており、ノズルからみて側方に位置する。
【００３７】
従って、余白無し記録において、記録媒体Ｐが光センサ４０１により検出可能な位置Dsenまで搬送された段階では、既に記録ヘッド２１のノズルにおいてインク吐出動作が開始されていなければならない。つまり、この実施形態においては、記録媒体Ｐの先端部分に対して記録を行う前に記録媒体Ｐの位置を検出することはできない。
【００３８】
そこで、情報処理装置１００から一記録走査分の記録データを受信した後（ステップＳ７０４）、記録媒体Ｐが光センサ４０１によって確実に検出される位置に達するまで、すなわち、記録媒体Ｐの先端が、座標Dsenまたはそれより下流の所定位置に達するまで、受信した記録データに従って記録動作を行う。この間、光センサ４０１によって、記録媒体Ｐの主走査方向における両端位置（Xleft,Xright）が検出されたとしても、その値に拘わらず、情報処理装置１００から受信した全ての記録データの記録動作を行う。この第１の実施形態では、給紙開始位置から記録媒体が確実に検出される位置までの距離間隔に相当するキャリッジ２の走査回数を設定し、その設定回数（例えば、１０回）の走査が実行されたか否かによって、記録媒体Ｐが確実に光センサ４０１によって検出し得る位置に達したか否かを判断している。そして、記録媒体Ｐが設定した走査回数に達するまでの間、光センサ４０１によって検出された記録媒体Ｐの両端位置（Xleft,Xright）の値は各走査毎に更新する（Ｓ７０６〜Ｓ７０７）。
【００３９】
なお、光センサ４０１によって検出される記録媒体Ｐの両端位置Xleft,Xrightは、キャリッジのホームポジションを原点とする主走査方向Ｘに平行する１次元座標（座標系Ｋ２）上の値であり、記録媒体のホームポジション側の端部をXright、ホームポジション反対側の端部をXleftとしている。また、この座標においてはホームポジションから遠ざかる方向を「＋」としている。よって、XleftとXrightとの関係は、常にXleft>Xrightとなっている。
【００４０】
上記のように、所定回数の走査が終了し、その間の搬送動作によって記録媒体Ｐが光センサ４０１によって確実に判別可能な位置に達した後は、ステップＳ７０６〜ステップＳ７１０のフローを実行する。すなわち、まず、ステップＳ７０６において、記録媒体Ｐに記録されている部分が記録媒体の後端付近である否かを図外のＰＥセンサの出力によって判断する。記録されている部分が、後端付近でないと判断された場合は、ステップＳ７０４で受信した一記録走査分の記録データに応じた記録動作を行う。但し、この場合の記録動作は、各走査毎に光センサ４０１によって検出されている記録媒体の両端位置（Xleft,Xright）に基づき設定される領域、すなわち、記録ヘッド２１のノズル直下に記録媒体が存在すると判断される位置でのみインク吐出動作を実行し、それ以外の部分では、インクの吐出動作を禁止する。
【００４１】
すなわち、情報処理装置１００に設けられている画像処理部（画像処理手段）では、使用する記録媒体Ｐの正規の幅に、予め予想される記録媒体Ｐの最大の斜行量を加えた領域（図１１中、Ｅ１にて示す）に対し、さらに記録媒体Ｐの最大ばらつき量を加えた領域（図１１中、Ｅ２にて示す）を想定し、その領域Ｅ２に相当する記録データを生成して、これをインクジェット記録装置２００に転送する。そして、従来の装置では、このような領域Ｅ２に対応する記録データの全てに応じてインク吐出を行っていた。一方、この第１の実施形態では、前述の光センサ４０１により記録媒体が存在している位置（領域）を検出し、この検出結果に基づき記録媒体の存在位置（存在領域Ｅ）に対してのみインクの吐出動作を行い、その他の領域（記録媒体の非存在領域）に対しては、記録データが存在したとしても、インクの吐出動作を禁止するよう制御している。この構成によれば、従来では領域Ｅ２に対応するインク量が消費されていたところ、本実施形態では領域Ｅに対応するインク量が消費されるだけになるので、インク消費量が大幅に減り、インクミストも軽減される。
【００４２】
なお、上記説明では、光センサによる検出領域（Xleft-Xright）を記録媒体の存在領域Ｅとして設定しているが、光センサによる検出誤差を考慮の上、光センサによる検出領域（Xleft-Xright）より少し広めの領域Ｅ`を記録媒体の存在領域Ｅとして設定するのが好ましい。具体的には、この第１の実施形態では、主走査方向におけるノズル位置Xnzlが、
Xright - 0.1ｍｍ < Xnzl < Xleft + 0.1ｍｍ
で表される領域（補正領域）にあるときのみ、記録動作を実行することが好ましい。つまり、光センサによる検出領域（Xleft-Xright）よりも左右両側に0.1ｍｍづつ広げた領域Ｅ`を記録媒体の存在領域Ｅとして設定し、これをインク吐出領域と定めるのである。なお、光センサー４０１による検出領域（Xleft-Xright）を記録媒体の存在領域Ｅとして設定せず、{(Xleft-0.1mm)-（Xright-0.1mm）}を記録媒体の存在領域Ｅとして設定したのは、光センサ４０１の分解能が300dpiであることを考慮し、その分解能の幅（＝0.085mm≒0.1mm）だけ広い領域での吐出を許可するようにしたためである。このインク吐出領域を設定する演算は、光センサ４０１からの検出信号に基づきＣＰＵ２０１が行う。
【００４３】
また、記録ヘッド２１からのインクの吐出動作を禁止する制御は、ＣＰＵ２０１によって行われる。すなわち、記録動作を禁止する場合、ＣＰＵ２０１は、図６に示すアンドゲート回路２０６の各アンドゲートＧに対し、「０」のゲート制御信号を出力し、アンドゲートＧの出力を「Ｌ」として、駆動回路２０７の各トランジスタＴｒを遮断させる。
【００４４】
また、上記のように記録媒体Ｐに対する記録走査を行う毎に、光センサによって検出される記録媒体Ｐの両端位置Xleft,Xrightの値を更新する。Xleft,Xrightの値を更新するのは、記録媒体が斜行した場合にも余白無し記録を可能とするためである。つまり、記録媒体Ｐが斜行した場合は、プラテン１０上を通過する記録媒体Ｐの端部位置が変化するため、常に記録媒体Ｐの両端部の位置を検出し、その値Xleft,Xrightをその都度更新しており、これによって、斜行発生時にも記録媒体の両端位置変化に対応した余白無し記録を行うことができる。
【００４５】
一方、ステップＳ７０８で記録媒体Ｐの後端付近であると判断された場合は、ステップＳ７０６にてキャリッジを走査させ、情報処理装置１００から送出されて来た一走査分の記録データの全てに応じて記録動作を実行する。これによれば、記録光センサ４０１と記録ヘッド２１のノズル列との位置関係から、記録媒体Ｐの後端が光センサ４０１により検出されない位置にある場合でも余白無し記録を確実に行うことができる。  
以上のステップＳ７０４〜Ｓ７１１の動作を記録データがなくなるまで実施し、全ての記録データの記録を終了したら排紙して動作を終了する（ステップＳ７１２）。
【００４６】
上記のように、この第１の実施形態では、記録媒体の存在領域に対してのみ記録ヘッドによるインク吐出を許容し、この存在領域以外の領域に対しては記録ヘッドによるインク吐出を禁止しているため、記録媒体からはみだした部分に対するインク吐出を殆ど無くすことが可能になり、インクの浪費、およびインクミストの発生を大幅に低減することができる。
【００４７】
（第２の実施形態）
次に、本発明の第２の実施形態について詳細に説明する。なお、この第２の実施形態においても、インクジェット記録装置の構成は、図４ないし図６に示した第１の実施形態とほぼ同様の構成を有している。  
但し、この第２の実施形態においては、キャリッジ２に設けられた記録媒体検出手段としての光センサが、記録ヘッド２１のノズル列に対して異なる位置関係に配置されており、この点が上記第１の実施形態と異なる。
【００４８】
すなわち、図１０に示すように、この第２の実施形態では、光センサ４０１が、記録媒体搬送方向（Ｙ方向）において、記録ヘッド２１のノズル列の上流側端部Ｄnzlよりも上流側に配置されており、この点が上記第１の実施形態と異なる。つまり、記録ヘッド２１のノズル端部の座標をDnzl、センサ位置の座標をＤsenとした場合、光センサ４０１の位置は、ノズル中心よりも距離Ｄsen（＞Dnzl）だけ搬送方向上流に存在する。このため、記録媒体が記録ヘッド２１のノズル列の上流側端部Ｄnzlに達し、記録動作が開始される前に、光センサによる記録媒体の両端部の位置検出を行うことができる。
【００４９】
（記録動作）
次に、本発明の第２の実施形態における記録動作を図９を用いて説明する。  
情報処理装置１００において、ユーザーが記録動作を選択すると、情報処理装置１００からインクジェット記録装置２００へと記録開始信号が送信される（ステップＳ９０１）。インクジェット記録装置が記録開始信号を受信すると、図外の給紙機構がインクジェット記録装置２００の本体部内へと記録媒体を給送し、情報処理装置１００から記録データを受信するまで搬送動作を開始させず、記録媒体を給紙位置にて待機させる（ステップＳ９０２、Ｓ９０３）。
【００５０】
この後、ステップＳ９０４で、記録媒体がノズル列にはかからないが、光センサ４０１で記録媒体の位置を検知し得る位置、すなわち、記録媒体の先端の座標位置が、図１０に示すDnzl以上かつDsen以下となる位置まで記録媒体を搬送する。この後ステップＳ９０５では、光センサ４０１によって記録媒体Ｐの両端の左端Xleft、右端Xrightを検知する。ここで、光センサ４０１で検出された情報から、インクジェット記録装置２００におけるＣＰＵ２０１は、媒体幅Lmedia=Xleft-Xright を算出し、情報処理装置２００へと送信する（ステップＳ９０６）。
【００５１】
インクジェット記録装置２００にて算出された結果を受信すると、情報処理装置１００は、媒体幅情報に基づいて、撮像装置などの所定の画像入力装置から入力された画像データを、インクジェット記録装置の記録動作に適合する記録データに変換する画像処理を行い、記録データを作成する（ステップＳ９０７）。これにより、情報処理装置では記録データの作成を必要最小限に留めることができ、記録データ作成に要する時間および作成した記録データをインクジェット記録装置に転送するための時間も短縮することができる。
【００５２】
この第２の実施形態では、インクジェット記録装置２００において想定される最大の斜行量を含めた領域、つまり、正規の記録媒体の外側にはみ出した領域Ｅ１（図１１中、Ｅ１に示す）に相当する記録データを作成する。媒体幅情報が得られない従来の情報処理装置においては、余白無し記録を実施するために、「最大斜行量＋記録媒体の最大ばらつき量」を正規の記録媒体の領域Ｅに加えた記録データを作成する必要があったが、この第２の実施形態では、情報処理装置１００で保持している画像データに相当する大きな領域のうち、少なくとも記録媒体の最大ばらつき量を削減した領域（例えば、領域Ｅ１）に相当する画像データに対して画像処理を施せば良く、その他の領域における画像データに対する画像処理は不要となる。このため、画像処理時間の短縮、および作成されたデータの転送時間の短縮が可能となる。なお、記録媒体の最大ばらつき量を削減したデータとしては、上記のような領域Ｅ１に相当する領域だけでなく、記録媒体を包含し得る領域であれば、いかなる領域にも設定可能である。例えば、記録媒体より光センサ４０１の分解能を加えた領域の記録データを作成、転送するようにしても良く、これによれば、画像処理時間および転送時間をさらに削減することが可能となる。
【００５３】
このようにして情報処理御装置で作成された記録データは、一走査分毎にインクジェット記録装置２００へと送信される（ステップＳ９０８）。  
一方、インクジェット記録装置において、１スキャン分のデータを受信すると、ステップＳ９０８では、記録媒体Ｐに記録されている部分が記録媒体Ｐの後端付近であるか否かをＰＥセンサの出力により判断する（ステップＳ９０８）。ここで、記録されている部分が後端付近でないと判断された場合は、光センサ４０１の位置、すなわち座標系Ｋ１における座標Dsenでの記録媒体Ｐの両端位置の検出結果から記録ヘッド２１のノズルの直下（すなわち座標系Ｋ１における原点）での記録媒体Ｐの両端位置を算出し、記録媒体Ｐが記録ヘッド２１のノズル列の直下に存在する部分でのみインク吐出動作を実行し、それ以外の部分では、インクの吐出動作を禁止する。但し、光センサ４０１の分解能が300dpiであることを考慮し、その分解能の幅分（＝0.085mm≒0.1mm）だけ広い領域での吐出を許可する（ステップＳ９１２）。
【００５４】
ここで、光センサ４０１の検出位置Dsenで検出された記録媒体の両端位置に基づき、記録ヘッド２１のノズル列の直下における記録媒体Ｐの両端位置を算出する方法を説明する。
【００５５】
図１２に示すように記録媒体が斜行している場合、検出位置Dsenで検出された記録媒体Ｐの両端位置と記録ヘッド２１のノズルの直下における記録媒体Ｐの両端位置との間にはＸ方向において差が生じる。この差は次の式１により良好に補正することができる。
【００５６】
すなわち、図１２から明らかなように、検出位置Dsenにおいて現在検出されている記録媒体Ｐの両端位置をXleft_cur,Xright_cur、検出位置Dsenにおいて前回検出された媒体位置をXleft_prev,Xright_prev、その間の媒体の搬送量をLf_curとすると、記録ヘッド２１のノズルの直下における記録媒体の両端の位置Hleft,Hrightは、
式１：
Hleft  = Xleft_cur  + (Xleft_prev - Xleft_cur) / Lf_cur × Dsen
Hright = Xright_cur + (Xright_prev - Xright_cur) / Lf_cur  × Dsen
となり、この両端Hleft,Hrightの間の領域が記録ヘッド２１の移動経路上（原点０上）における記録媒体の存在領域となる。
【００５７】
また、この第２の実施形態において、光センサ４０１での媒体位置検出を、記録走査と同時に実行し、その記録走査時に検知した媒体位置情報を基に、次の記録スキャンの吐出を制御している。しかし、図１２に示すように、記録媒体が斜行している場合、光センサ４０１によって検出される記録媒体Ｐの両端位置は、記録媒体Ｐの搬送動作が行われる度に変化する。このため、ある記録走査時に検知した媒体位置情報を、そのまま次の記録スキャンに適用すると、記録媒体Ｐの搬送量に比例した誤差を生じることがある。
【００５８】
この誤差は、次の式2を適用することで良好に補正することができる。つまり、図１２に示すように、センサ位置Dsenにおけるある記録走査時に検知された記録媒体Ｐの両端位置をXleft_cur,Xright_cur、センサ位置における前回検知された記録媒体Ｐの両端位置をXleft_prev,Xright_prev、その間の記録媒体Ｐの搬送量をLf_cur、次の検出動作までの記録媒体Ｐの搬送量をLf_nextとすると、予測される次回検知の媒体位置Xleft_next,Xright_nextは、
式２：
Xleft_next  = Xleft_cur  + (Xleft_prev - Xleft_cur)/Lf_cur × Lf_next
Xright_next = Xright_cur + (Xright_prev - Xright_cur)/Lf_cur × Lf_next
と表すことが可能である。
【００５９】
さらに、式１と式２で表される二つの補正をまとめると、記録ヘッド２１のノズル直下における次回の記録走査時の予測される媒体位置Lleft,Lrightは、以下の式３に表すことができる。すなわち、
式３：
Lleft  = Xleft_cur   + (Xleft_prev - Xleft_cur)/Lf_cur × Dsen  
+ (Xleft_prev - Xleft_cur)/Lf_cur ×Lf_next
Lright = Xright_cur  +(Xright_prev - Xright_cur)/Lf_cur × Dsen
+ (Xright_prev - Xright_cur)/Lf_cur × Lf_next
となる。
【００６０】
よって、ステップＳ９１３では、各色のノズル位置Xnzlが、
Lright  0.1 < Xnzl < Lleft + 0.1
の領域（補正領域）内にあるときにのみ、記録データに従ってインクの吐出動作を行い、それ以外の場合はノズル下に媒体がないと判断し、記録データがあったとしてもインクの吐出を実行しない。また記録走査と同時に、記録媒体Ｐの位置検出を実行し、Xleft_cur,Xright_curの値を更新する。
【００６１】
一方、ステップＳ９０９で、記録媒体Ｐに対し記録が行われている部分が後端付近であると判断された場合は、ステップＳ９１０においてキャリッジ２の走査を行い、情報処理装置１００から送出されて来た一走査分の記録データの全てに応じて記録動作を実行する。これによれば、後端記録において、光センサ４０１と記録ヘッド２１のノズル列との位置関係から、記録媒体Ｐが光センサ４０１により検出されない位置にある場合でも余白無し記録を確実に行うことができる。
【００６２】
以上のように、この第２の実施形態においては、上記第１の実施形態と同様に、記録媒体からはみだした部分の吐出をほとんど無くすことができ、インク浪費を低減することが可能となる。さらに、光センサが記録動作に先立って記録媒体の位置を検出し、その検出結果を情報処理装置へと送るようにしたため、情報処理装置では、送信されてきた検出結果に基づき、必要最小限の画像データに画像処理を施すことで必要とする記録データを作成することが可能となり、画像処理に要する時間の短縮および情報処理装置へのデータ転送時間の短縮を図ることが可能となる。
【００６３】
なお、上記各実施形態では、記録のための全ての走査において記録媒体の端部位置の検出を実行するようになっている。しかしながら、この光センサ４０１による記録媒体Ｐの端部検出を光センサ４０１によって確実に実行させるためには、キャリッジを記録媒体に対して記録を行う領域に比べ、長い距離領域でキャリッジを移動させる必要があり、これが記録動作に関するスループットに影響する可能性がある。そこで、記録媒体が斜行していたとしても、数回の搬送による媒体位置ずれは微小であるとみなし、所定回数の記録スキャン毎に媒体位置検出を行うようにすることも可能である。この場合、斜行に対する媒体位置の検出精度は低下するが、キャリッジの走査幅を短くすることができるためスループットを高めることができる。
【００６４】
なお、上記各実施形態では、媒体位置検出手段による検出領域（Xleft-Xright）よりも少し広い領域Ｅ`を記録媒体の存在領域Ｅとして設定しているが、勿論、媒体位置検出手段による検出領域（Xleft-Xright）を記録媒体の存在領域Ｅとして設定してもよい。
【００６５】
また、上記各実施形態では、記録ヘッド２１が搭載されるキャリッジ２に光センサ４０１を設ける形態について説明したが、本発明は、この形態に限られるものではなく、例えば、光センサ４０１はそれ専用のキャリッジに設けるようにしてもよい。
【００６６】
更に、上記各実施形態では、光センサ４０１を走査させながら記録媒体の端部位置を検出する形態について説明したが、本発明は、この形態に限られるものではない。例えば、光センサは走査しながら使用される形態ではなく、記録装置に固定された状態で使用される形態でもあってもよい。この場合、記録媒体の幅以上のラインセンサを記録装置に対して固定しておく形態であってもよいし、また、記録媒体の左右両端部近傍それぞれを検出できる程度の長さを有する光センサを、記録媒体の左右両端部近傍それぞれに対向する位置に固定しておく形態であってもよい。
また、上記各実施形態では、記録ヘッドを走査する走査動作と記録媒体を搬送する搬送動作とにより記録媒体に対し記録を行っていく形態について説明したが、本発明は、この形態に限定されるものではなく、例えば、記録ヘッドは走査しない形態（例えば、ラインヘッド）とし、記録媒体だけを搬送させて記録を行う形態でもよい。
【図面の簡単な説明】
【００６７】
【図１】余白なし記録を実施可能なプラテン１０の構成を示す図であり、（ａ）はプラテン１０の一部を示す斜視図、（ｂ）は同プラテン１０の縦断側面図である。
【図２】余白なし記録の記録動作を説明する縦断側面図であり（ａ）は記録媒体に記録動作が開始される前の状態を、（ｂ）は記録媒体の先端部に記録動作が開始された状態を、（ｃ）は記録媒体の後端部に記録動作が開始された状態をそれぞれ示している。
【図３】本発明の実施形態におけるインクジェット記録システムの全体構成を概念的に示すブロック図である。
【図４】本発明の実施形態に係るインクジェット記録装置の概略構成を示す斜視図である。
【図５】本発明の実施形態で用いたヘッドカートリッジ１０００の詳細を示す斜視図である。
【図６】本発明の実施形態に用いるインクジェット記録装置の記録ヘッド２１の駆動を制御する駆動制御部を示すブロック図である。
【図７】本発明の第１の実施形態における記録動作を示すフローチャートである。
【図８】本発明の第１の実施形態における記録ヘッド２１のノズル列と光センサとの位置関係を示す説明平面図である。
【図９】本発明の第２の実施形態における記録動作を示すフローチャートである。
【図１０】本発明の第２の実施形態における記録ヘッド２１のノズル列と光センサとの位置関係を示す説明平面図である。
【図１１】記録媒体が斜行した状態および記録データの作成領域を模式的に示す説明平面図である。
【図１２】記録媒体が斜行した状態を模式的に示す説明平面図である。
【符号の説明】
【００６８】
２  キャリッジ
６  キャリッジモータ
９ａ  フォトカプラ
９ｂ  遮光板
１０  プラテン１０
１１  リブ
１２  リブ
１３  インク吸収体
１４  溝
２１  記録ヘッド２１
２１ａ  ノズル列
１００  情報処理装置（ホストコンピュータ）
２００  インクジェット記録装置
２０１  ＣＰＵ
２０２  ＲＡＭ
２０３  クロック発生器
２０４  シフトレジスタ
２０５  ラッチ回路
２０６  アンドゲート回路
２０７  駆動回路
４０１  光センサ
１０００  ヘッドカートリッジ
Ｈ  ヒータ
Ｔｒ  トランジスタ
Ｇ  アンドゲート
Ｒ  記録ヘッドの移動経路
Ｒ１  第１の実施形態における光センサの検出経路
Ｒ２  第２の実施形態における光センサの検出経路
【図１】
2005081687.tif 000003
【図２】
2005081687.tif 000004
【図３】
2005081687.tif 000005
【図４】
2005081687.tif 000006
【図５】
2005081687.tif 000007
【図６】
2005081687.tif 000008
【図７】
2005081687.tif 000009
【図８】
2005081687.tif 000010
【図９】
2005081687.tif 000011
【図１０】
2005081687.tif 000012
【図１１】
2005081687.tif 000013
【図１２】
2005081687.tif 000014